(57)【要約】【課題】励起光源としてレーザダイオードが用いられ、光検出器としてフォトダイオードからなるものが用いられた放射線画像情報読取装置において、レーザダイオードから発せられた赤外光が光検出器に検出されることを防止する。【解決手段】放射線画像情報が蓄積記録された蓄積性蛍光体シート１３の一部に、レーザダイオード１１ａから発せられた赤色光および赤外光を含む励起光１０ａを照射光学系１２ａを通して線状の主走査方向Ｘに照射する励起光照射手段を有する放射線画像情報読取装置において、照射光学系を構成する光学素子３２の光通過面の中で、光通過位置毎の励起光入射角の変化が最も小さい光通過面３２ａに、赤色光は良好に透過させる一方赤外光は良好に反射させるコーティング３３を施す。【選択図】　　　　　図６
2004109807.tif 000002
【特許請求の範囲】
【請求項１】
放射線画像情報が蓄積記録された蓄積性蛍光体シートの一部に、レーザダイオードから発せられた赤色光および赤外光を含む励起光を照射光学系を通して線状の主走査方向に照射する励起光照射手段と、
この蓄積性蛍光体シートの励起光照射を受けた部分から発せられた輝尽発光光を検出する、フォトダイオードからなる光検出器と、
前記光検出器および前記励起光照射手段と、前記蓄積性蛍光体シートとの一方を他方に対して相対的に、前記主走査方向と略直角な副走査方向に移動させる副走査手段とを備えてなる放射線画像情報読取装置において、
前記照射光学系を構成する光学素子の光通過面の中で、光通過位置毎の励起光入射角の変化が最も小さい光通過面に、前記赤色光は良好に透過させる一方前記赤外光は良好に反射させるコーティングが施されていることを特徴とする放射線画像情報読取装置。
【請求項２】
前記照射光学系が、レーザダイオードから発散光状態で射出された励起光を一方向に集光し、ファンビーム状にして蓄積性蛍光体シートに照射するものであり、
前記コーティングが施された光通過面が、励起光の入射側に向かって凹になった湾曲面であることを特徴とする請求項１記載の放射線画像情報読取装置。
【請求項３】
前記照射光学系が、レーザダイオードから発散光状態で射出された励起光を平行光化するコリメーターレンズと、平行光となった励起光を偏向させる光偏向器とからなるものであり、
前記コーティングが施された光通過面が、励起光の入射側に向かって凹になった湾曲面であることを特徴とする請求項１記載の放射線画像情報読取装置。
【請求項４】
前記コーティングが施された光通過面が、一方向において励起光の入射側に向かって凹になった湾曲面で、他方向において平面であるシリンドリカル面であることを特徴とする請求項２または３記載の放射線画像情報読取装置。
【発明の詳細な説明】
【０００１】
【発明の属する技術分野】
本発明は、放射線画像情報が蓄積記録されている蓄積性蛍光体シートに励起光を照射し、それにより該シートから発せられた輝尽発光光を光電的に読み取って前記放射線画像を示す画像信号を得る放射線画像情報読取装置に関し、特に詳細には、励起光源としてレーザダイオード（半導体レーザ）を用いる一方、輝尽発光光を検出する光検出器としてフォトダイオードからなるものを用いた放射線画像情報読取装置に関するものである。
【０００２】
【従来の技術】
従来、放射線を照射するとこの放射線エネルギーの一部を蓄積し、その後、可視光やレーザ光などの励起光を照射すると、蓄積された放射線エネルギーに応じて輝尽発光を示す蓄積性蛍光体（輝尽性蛍光体）が知られており、そして、この蓄積性蛍光体を支持体上に積層してなる蓄積性蛍光体シートを用いる放射線画像記録再生システムが広く実用に供されている。
【０００３】
この放射線画像記録再生システムは、人体等の被写体を透過させた放射線を蓄積性蛍光体シートに照射する等してこの蓄積性蛍光体シートに被写体の放射線画像情報を蓄積記録し、その後、レーザ光などの励起光により該シートを２次元的に走査してその励起光照射部分から輝尽発光光を生じさせ、この輝尽発光光を光電読取手段により読み取って上記放射線画像情報を示す画像信号を得るものである。
【０００４】
このシステムにおいて得られた画像信号は、観察読影に適した階調処理や周波数処理などの画像処理が施された上で、それが担持する放射線画像を診断用可視像としてフィルムに再生記録したり、あるいはＣＲＴ画像表示装置等に表示するために用いられる。
【０００５】
ここで、上述した放射線画像記録再生システムに用いられる放射線画像情報読取装置においては、輝尽発光光の読取時間の短縮や、装置のコンパクト化およびコスト低減等の観点から、光電読取手段（光検出器）としてＣＣＤからなるラインセンサを適用することが提案されている。特許文献１には、そのようにして蓄積性蛍光体シートから放射線画像情報を示す画像信号を得る放射線画像情報読取装置の一例が示されている。
【０００６】
その種の放射線画像情報読取装置は基本的に、
放射線画像情報が蓄積記録された蓄積性蛍光体シートの一部に、励起光を照射光学系を通して線状の主走査方向に照射する励起光照射手段と、
この蓄積性蛍光体シートの励起光照射を受けた部分から発せられた輝尽発光光を検出するＣＣＤからなるラインセンサと、
前記光検出器および前記励起光照射手段と、前記蓄積性蛍光体シートとの一方を他方に対して相対的に、前記主走査方向と略直角な副走査方向に移動させる副走査手段とを備えてなるものである。
【０００７】
なお、上述のように蓄積性蛍光体シートに励起光を線状に照射する励起光照射手段としては、いわゆるファンビーム状の励起光を発するものであってもよいし、あるいは、１本の細いビームを偏向させて蓄積性蛍光体シート上で線状に走査させるものであってもよい。
【０００８】
ところで、上述の励起光を発する励起光源として、装置の小型化やコストダウンの観点から、レーザダイオード（半導体レーザ）を適用することが考えられている。特許文献２や特許文献３には、そのように構成された放射線画像情報読取装置の例が示されている。
【０００９】
しかし、このように励起光源としてレーザダイオードを用い、光検出器として前述のＣＣＤからなるものを用いた場合には、励起光成分が光検出器によりノイズとして検出されてしまうという問題が生じる。すなわち、レーザダイオードとしては通常、蓄積性蛍光体シートの励起に適した赤色光を発するものが用いられるが、発振波長が赤色領域にあるレーザダイオードは、一般に赤色光の他に赤外光も発する。そして、シリコンを主成分とするフォトダイオードからなるＣＣＤは、可視光のみならず赤外光にも高い感度を有するので、レーザダイオードから発せられた赤外光が蓄積性蛍光体シートで反射してこの光検出器に検出されてしまうのである。
【００１０】
なお多くの場合、光検出器の前側には、輝尽発光光を透過させる一方、励起光はカットする励起光カットフィルタが配置されるが、赤外光はこのような励起光カットフィルタを通過してしまう。
【００１１】
そこで従来、前記特許文献２にも示されているように、レーザ光源から発せられた励起光を、蓄積性蛍光体の励起用に所望される発振波長以外の波長の光を遮断する光学フィルタに通してから蓄積性蛍光体シートに照射することが提案されている。
【００１２】
【特許文献１】
特開平１−１０１５４０号公報
【００１３】
【特許文献２】
特開昭６０−１３５９２９号公報
【００１４】
【特許文献３】
特開２００２−７７５２８号公報
【００１５】
【発明が解決しようとする課題】
しかし、上記特許文献２に示されたような光学フィルタによって、前述のレーザダイオードから発せられる赤外光を十分に遮断することは、極めて困難になっている。また、上述のような光学フィルタを励起光照射光学系に加えて設けると、この光学系の部分の構造が複雑化するという問題も認められる。
【００１６】
本発明は上記の事情に鑑みてなされたものであり、励起光源としてレーザダイオードが用いられ、光検出器としてフォトダイオードからなるものが用いられても、レーザダイオードから発せられた赤外光が光検出器に検出されてしまうことがなく、そして励起光照射光学系の複雑化を回避できる放射線画像情報読取装置を提供することを目的とする。
【００１７】
【課題を解決するための手段】
本発明による放射線画像情報読取装置は、前述したように、
放射線画像情報が蓄積記録された蓄積性蛍光体シートの一部に、レーザダイオードから発せられた赤色光および赤外光を含む励起光を照射光学系を通して線状の主走査方向に照射する励起光照射手段と、
この蓄積性蛍光体シートの励起光照射を受けた部分から発せられた輝尽発光光を検出する、フォトダイオードからなるＣＣＤラインセンサ等の光検出器と、
前記光検出器および前記励起光照射手段と、前記蓄積性蛍光体シートとの一方を他方に対して相対的に、前記主走査方向と略直角な副走査方向に移動させる副走査手段とを備えてなる放射線画像情報読取装置において、
前記照射光学系を構成する光学素子の光通過面の中で、光通過位置毎の励起光入射角の変化が最も小さい光通過面に、前記赤色光は良好に透過させる一方前記赤外光は良好に反射させるコーティングが施されていることを特徴とするものである。
【００１８】
なお上記の照射光学系として、レーザダイオードから発散光状態で射出された励起光を一方向に集光し、ファンビーム状にして蓄積性蛍光体シートに照射するものが用いられた場合には、上記コーティングを施す光通過面として、励起光の入射側に向かって凹になった湾曲面が利用されることが望ましい。
【００１９】
一方、上記照射光学系として、レーザダイオードから発散光状態で射出された励起光を平行光化するコリメーターレンズと、平行光となった励起光を偏向させる光偏向器とからなるものが用いられた場合にも、上記コーティングを施す光通過面として、励起光の入射側に向かって凹になった湾曲面が利用されることが望ましい。
【００２０】
また、上述のような湾曲面を有する光通過面は、一方向において励起光の入射側に向かって凹になった湾曲面で、他方向において平面であるシリンドリカル面であることが特に望ましい。
【００２１】
【発明の効果】
上記光学素子の光通過面に施されて赤外光を反射させるコーティングは、赤外光を吸収して遮断するタイプの光学フィルタと比べれば、一般に赤外光をより良好に遮断可能となっている。したがって、このようなコーティングを適用した本発明の放射線画像情報読取装置においては、励起光源としてレーザダイオードが用いられ、光検出器としてフォトダイオードからなるものが用いられても、レーザダイオードから発せられた赤外光が光検出器に検出されてしまうことを確実に防止可能となる。
【００２２】
また本発明の放射線画像情報読取装置においては、本来必要な励起光照射光学系を構成する光学素子の光通過面に上記コーティングが施されているので、該照射光学系に新たに赤外光遮断のための光学フィルタを付加する場合とは異なり、この照射光学系の構造が複雑化することもない。
【００２３】
なお、上述のコーティングは通常多層膜コーティングからなり、そこに入射する赤外光の反射率はその入射角に応じて変動してしまう。この点に鑑みて本発明の放射線画像情報読取装置においては、光通過位置毎の励起光入射角の変化が最も小さい光通過面に上記コーティングを施すようにしたので、光通過位置によっては赤外光の反射率が大きく低下するようなことを防止して、良好な赤外光遮断効果を得ることができる。
【００２４】
また、前記照射光学系として、レーザダイオードから発散光状態で射出された励起光を一方向に集光し、ファンビーム状にして蓄積性蛍光体シートに照射するものが用いられた場合に、上記コーティングを施す光通過面として、励起光の入射側に向かって凹になった湾曲面が利用されていると、ファンビーム状の励起光の各成分をそれぞれこの光通過面に垂直入射に近い状態で入射させることが可能になる。そうであれば、該光通過面における光通過位置によって赤外光の反射率が低下することをより確実に防止できる。
【００２５】
また、上記照射光学系として、レーザダイオードから発散光状態で射出された励起光を平行光化するコリメーターレンズと、平行光となった励起光を偏向させる光偏向器とからなるものが用いられた場合に、上記コーティングを施す光通過面として、励起光の入射側に向かって凹になった湾曲面が利用されていると、偏向した励起光を各偏向位置毎にそれぞれこの光通過面に垂直入射に近い状態で入射させることが可能になる。それによりこの場合も、該光通過面における光通過位置によって赤外光の反射率が低下することをより確実に防止できる。
【００２６】
一方で、上述のような湾曲面を有する光通過面では、赤色光の反射成分がレーザダイオードの発光点に戻り、レーザダイオードの動作を不安定にするという問題が生じる。この問題を解決するために、上述のような湾曲面を有する光通過面として特に、一方向において励起光の入射側に向かって凹になった湾曲面で、他方向において平面であるシリンドリカル面を適用することが好ましい。この場合、該シリンドリカル面で反射する一部の励起光は、上記一方向を含む面内ではこのシリンドリカル面に垂直入射してそのまま同じ光路上を折り返すのに対し、上記他方向を含む面内ではほとんど入射光路とは角度をなして折り返すようになるので、この反射した励起光が戻り光としてレーザダイオードに入射することがなくなる。それにより、この戻り光によってレーザダイオードの動作が不安定になることを防止可能となる。
【００２７】
【発明の実施の形態】
以下、図面を参照して本発明の実施形態について説明する。
【００２８】
図１は、本発明の一実施の形態による放射線画像情報読取装置の概略構成を示すものであり、また図２および図３はそれぞれ、この放射線画像情報読取装置の読取光学系の部分の側面形状、正面形状を示している。
【００２９】
図１に示すように本装置は、ファンビーム状の励起光１０を発するレーザダイオードアレイ１１と、励起光１０を図２に示す面内のみで集光するレンズアレイ１２と、この励起光１０が線状に照射された蓄積性蛍光体シート１３の部分から発せられた輝尽発光光１４を集光するレンズアレイ１５と、このレンズアレイ１５を通過した輝尽発光光１４の光路に配された励起光カットフィルタ１６と、この励起光カットフィルタ１６を透過した輝尽発光光１４を検出するＣＣＤラインセンサ１７と、蓄積性蛍光体シート１３を矢印Ｙ方向、つまり該シート１３上における励起光照射部分の長さ方向（矢印Ｘ方向）と直交する方向に定速送りする副走査手段としてのエンドレスベルト１８とを有している。
【００３０】
さらに、上記ＣＣＤラインセンサ１７から出力されたアナログの光検出信号Ｓを増幅する増幅器２０と、増幅された光検出信号Ｓをデジタル化するＡ／Ｄ変換器２１と、このＡ／Ｄ変換器２１が出力するデジタル画像信号Ｄを画像処理する画像処理装置２２と、画像処理後のデジタル画像信号Ｄが入力される画像再生装置２３とが設けられている。
【００３１】
レーザダイオードアレイ１１は図３に示すように、一例として発振波長が６６０ｎｍの複数のレーザダイオード１１ａ、１１ｂ、１１ｃ……が一列に並設されてなるものである。各レーザダイオード１１ａ、１１ｂ、１１ｃ……から発せられた発散光状態の励起光１０ａ、１０ｂ、１０ｃ……はそれぞれ、レンズアレイ１２を構成している照射光学系としての組合せレンズ１２ａ、１２ｂ、１２ｃ……により一方向のみに集光されてファンビームとなり、それらのファンビームが連なってなる励起光１０が蓄積性蛍光体シート１３の一部分を線状に照射する。なお、組合せレンズ１２ａ、１２ｂ、１２ｃ……については後に詳しく説明する。
【００３２】
ＣＣＤラインセンサ１７は図４に平面形状を示すように、一列に並設された多数のセンサチップ（光電変換素子）１７ａを有するものである。本例においてこのＣＣＤラインセンサ１７のセンサチップ並設方向と直交する方向の受光幅、つまりセンサチップ１７ａの幅Ｗは約１００μｍである。
【００３３】
このＣＣＤラインセンサ１７は、センサチップ１７ａが図１の蓄積性蛍光体シート１３上における励起光照射部分の長さ方向（矢印Ｘ方向）に沿って並ぶ向きに配設されている。なおこのＣＣＤラインセンサ１７は、幅の大きい蓄積性蛍光体シート１３に対応するために、複数のラインセンサをその長さ方向に連ねて構成されてもよい。
【００３４】
一方レンズアレイ１５は、図５の（１）、（２）にそれぞれ正面形状、側面形状を示す通り、例えば多数の屈折率分布型レンズ１５ａ、１５ｂ、１５ｃ、１５ｄ……が一列に並設されてなるものである。各屈折率分布型レンズ１５ａ、１５ｂ、１５ｃ、１５ｄ……は、蓄積性蛍光体シート１３から発せられた輝尽発光光１４を集光して、図１に示すようにＣＣＤラインセンサ１７に導く。このレンズアレイ１５は、屈折率分布型レンズ１５ａ、１５ｂ、１５ｃ、１５ｄ……が蓄積性蛍光体シート１３上における励起光照射部分の長さ方向（矢印Ｘ方向）に沿って並ぶ向きに配設されている。
【００３５】
以下、上記構成の放射線画像情報読取装置の作用について説明する。蓄積性蛍光体シート１３には、被写体を透過した放射線を照射する等によりこの被写体の放射線画像情報が蓄積記録されており、該シート１３はエンドレスベルト１８により矢印Ｙ方向に定速で送られる。それとともに、レーザダイオードアレイ１１から発せられた励起光１０が、蓄積性蛍光体シート１３の一部に線状に照射される。
【００３６】
この励起光１０の照射を受けた蓄積性蛍光体シート１３の部分からは、蓄積記録されている放射線画像情報に応じた光量の輝尽発光光１４が発散する。例えば青色のこの輝尽発光光１４はレンズアレイ１５により集光されてＣＣＤラインセンサ１７に導かれ、該ＣＣＤラインセンサ１７によって光電的に検出される。なお、蓄積性蛍光体シート１３で反射してＣＣＤラインセンサ１７に向かって進行する励起光１０は、励起光カットフィルタ１６によってカットされる。
【００３７】
ＣＣＤラインセンサ１７は、輝尽発光光１４の光量に対応した（つまり上記放射線画像情報を示す）アナログの光検出信号Ｓを出力する。この光検出信号Ｓは増幅器２０により増幅され、次いでＡ／Ｄ変換器２１においてデジタル画像信号Ｄに変換される。
【００３８】
このデジタル画像信号Ｄは次に画像処理装置２２において階調処理等の画像処理を受けた後、画像再生装置２３に送られて、蓄積性蛍光体シート１３に記録されていた放射線画像の再生に供せられる。この画像再生装置２３は、ＣＲＴ表示装置等からなるディスプレイ手段でもよいし、感光フィルムに光走査記録を行なう記録装置等であってもよい。
【００３９】
次に、励起光１０ａ、１０ｂ、１０ｃ……の収束状態や波長等について、図３を参照して詳しく説明する。本実施の形態においてレーザダイオードアレイ１１を構成するレーザダイオード１１ａ、１１ｂ、１１ｃ……は各々出力５０ｍＷのものであり、それらは一例として２４個用いられている。このように多数のレーザダイオード１１ａ、１１ｂ、１１ｃ……を用い、それらから発せられた励起光１０ａ、１０ｂ、１０ｃ……を連ねて蓄積性蛍光体シート１３に線状に照射するようにすれば、主走査幅が同一である限り、ただ１つのレーザダイオードを用いる場合と比べて、当然本実施形態の方がレーザダイオードから蓄積性蛍光体シート１３までの距離を短くすることができる。それにより、放射線画像情報読取装置を十分に小型化することができる。
【００４０】
本実施の形態では、上述のように複数設けられたレーザダイオード１１ａ、１１ｂ、１１ｃ……に対応させてそれぞれ組合せレンズ１２ａ、１２ｂ、１２ｃ……が設けられ、それらが連結部材１２Ｈにより互いにレンズ長手方向に連結されてレンズアレイ１２が構成されている。
【００４１】
以下、これらの組合せレンズ１２ａ、１２ｂ、１２ｃ……について詳しく説明する。なお、以下ではそれらの中の１つの組合せレンズ１２ａについて説明するが、その他の組合せレンズ１２ｂ、１２ｃ……の形状および設置状態、並びに奏する効果も全く同様である。図６に平面形状を示す通り組合せレンズ１２ａは、レーザダイオード１１ａ側に配置されたビームスプリッタ３１と、蓄積性蛍光体シート１３側に配置されたトーリックレンズ３２とが一体化されてなるものである。
【００４２】
ビームスプリッタ３０は光学ガラスを用いて直方体のブロック状に形成されたもので、レーザダイオード１１ａをＡＰＣ（Ａｕｔｏｍａｔｉｃ　Ｐｏｗｅｒ　Ｃｏｎｔｒｏｌ）駆動する上でその出力をモニターする図示外の光検出器に、励起光１０ａを一部分岐して導くために配設されている。
【００４３】
一方トーリックレンズ３２は、光軸方向および主走査方向（矢印Ｘ方向）を含む面、つまり図６に示される面内の形状が、ファンビーム状の励起光１０ａの各成分をそれぞれ垂直入射に近い状態で入射させるように湾曲した円筒面とされた入射端面３２ａと、トーリック面とされた出射端面３２ｂとを有しており、励起光１０ａを副走査方向のみに集光して、蓄積性蛍光体シート１３上で線状に収束させる。その際、トーリック面とされた出射端面３２ｂの作用により像面湾曲が補正され、蓄積性蛍光体シート１３上における励起光１０ａのビーム径は主走査方向位置によらず一定とされる。
【００４４】
ここで上記励起光１０ａは、発振波長が赤色領域にある一般のレーザダイオードから発せられる光と同様に、蓄積性蛍光体シート１３の蓄積性蛍光体を励起する上で有効な波長６５０〜６７０ｎｍの赤色光の他に、それよりも長波長領域にある７５０〜１０５０ｎｍの赤外光を含むものとなっている。そこで上記トーリックレンズ３２の入射端面３２ａには、上記波長の赤色光は良好に透過させる一方、赤外光は良好に反射させる多層膜コーティング３３が施されている。なお図７に、この多層膜コーティング３３の分光透過率特性を示す。このような特性の多層膜コーティング３３の作用により、上記赤外光が蓄積性蛍光体シート１３に到達してそこで反射し、ＣＣＤラインセンサ１７にノイズとして検出されることが防止される。
【００４５】
なお、上述の多層膜コーティング３３における赤外光の反射率は、その入射角に応じて変動する。しかし本実施の形態において多層膜コーティング３３は、前述した通りの円筒面とされたトーリックレンズ３２の入射端面３２ａに形成されているので、この多層膜コーティング３３に対して上記赤外光は入射端面３２ａ上のどの位置でもほぼ垂直入射する。そこで、入射端面３２ａ上の光入射位置によって赤外光の反射率が大きく低下するようなことはなく、良好な赤外光遮断効果が得られる。
【００４６】
また、トーリックレンズ３２の入射端面３２ａは前述の通りの形状とされているので、該入射端面３２ａで反射する一部の励起光１０ａは、図６に示す面内では該入射端面３２ａで反射してそのまま同じ光路上を折り返すのに対し、図６とは直角な面内（副走査方向を含む面内）ではほとんど入射光路とは角度をなして折り返すようになるので、この反射した励起光１０ａが戻り光としてレーザダイオード１１ａに入射することがなくなる。それにより、この戻り光によってレーザダイオード１１ａの動作が不安定になることを防止できる。
【００４７】
以上説明した実施の形態においては、レーザダイオード１１ａ、１１ｂ、１１ｃ……から発せられた励起光１０ａ、１０ｂ、１０ｃ……がファンビーム状にして蓄積性蛍光体シート１３に照射されるようになっているが、励起光を蓄積性蛍光体シートに線状に照射させるためには、図８に示すように、１つのレーザダイオード４０から発散光状態で発せられた励起光５０をコリメーターレンズ４１に通して平行光化した後、例えばガルバノメータミラー等の光偏向器４２により偏向し、偏向した励起光５０を蓄積性蛍光体シート１３に照射するようにしてもよい。
【００４８】
このような構成が採用される場合でも、励起光照射光学系として用いられる例えばトーリックレンズ４２の入射端面４２ａに前述と同様の多層膜コーティング３３を形成しておけば、赤外光が蓄積性蛍光体シート１３に到達してそこで反射し、光検出器にノイズとして検出されることを防止できる。
【００４９】
なお、以上説明した実施の形態では、励起光副走査のために蓄積性蛍光体シート１３をエンドレスベルト１８により定速搬送しているが、励起光を副走査する手段はこのようなものに限らず、その他例えばローラで蓄積性蛍光体シート１３を搬送するものや、あるいは、固定した蓄積性蛍光体シート１３に対して励起光照射手段およびラインセンサ等を相対移動させるものなどを適用することも可能である。
【図面の簡単な説明】
【図１】本発明の一実施の形態による放射線画像情報読取装置の概略構成図
【図２】図１に示した放射線画像情報読取装置の読取光学系を示す側面図
【図３】図２に示した読取光学系の正面図
【図４】上記放射線画像情報読取装置に用いられたラインセンサの平面図
【図５】上記放射線画像情報読取装置に用いられたレンズアレイの正面図（１）と、側面図（２）
【図６】上記放射線画像情報読取装置に用いられた励起光照射手段の平面図
【図７】上記放射線画像情報読取装置の励起光照射光学系に形成されたコーティングの分光反射率特性を示すグラフ
【図８】本発明の放射線画像情報読取装置に用いられる別の励起光照射手段を示す平面図
【符号の説明】
１０ａ、１０ｂ、１０ｃ　　励起光
１１　　レーザダイオードアレイ
１１ａ、１１ｂ、１１ｃ　　レーザダイオード
１２　　レンズアレイ
１２ａ、１２ｂ、１２ｃ　　組合せレンズ
１３　　蓄積性蛍光体シート
１４　　輝尽発光光
１５　　レンズアレイ
１５ａ、１５ｂ、１５ｃ　　屈折率分布型レンズ
１６　　励起光カットフィルタ
１７　　ＣＣＤラインセンサ
１７ａ　　ＣＣＤラインセンサのセンサチップ
１８　　エンドレスベルト
２０　　増幅器
２１　　Ａ／Ｄ変換器
２２　　画像処理装置
２３　　画像再生装置
３２、４２　　トーリックレンズ
３２ａ、４２ａ　　トーリックレンズの入射端面
３３　　多層膜コーティング
４０　　レーザダイオード
４１　　コリメーターレンズ
４２　　光偏向器
【図１】
2004109807.tif 000003
【図２】
2004109807.tif 000004
【図３】
2004109807.tif 000005
【図４】
2004109807.tif 000006
【図５】
2004109807.tif 000007
【図６】
2004109807.tif 000008
【図７】
2004109807.tif 000009
【図８】
2004109807.tif 000010